(57)【要約】【課題】  基本構造を変えることなく表示の仕方を変え得る時計の巻印残量表示機構及び該機構付時計を提供すること【解決手段】  機械式時計２の巻印残量表示機構１は、ぜんまいの巻上げ残量の変化に応じて回転する出力歯車１２１と、該出力歯車１２１に噛合した扇形歯車部４４、及び該扇形歯車部４４の回転中心Ｄから該扇形歯車部の扇形部分とは異なる向きに延びた腕部４３を一体的に備える駆動レバー４０と、該駆動レバー４０の前記腕部の先端部に回転自在に支持された駆動歯車部５２及び該駆動歯車部５２の回転中心Ｅから離れた部位において該駆動歯車部５２に一体的に形成された表示真５５を備える表示部材５０と、該表示部材５０の前記駆動歯車部５２の歯部が噛合する固定歯部７１を備えた固定歯車７０とを有する。該固定歯車７０は、典型的には、内歯歯車７１の形態を採る。【選択図】  図１
2008196884.tif 000002
【特許請求の範囲】
【請求項１】
ぜんまいの巻上げ残量の変化に応じて回転する出力歯車と、
該出力歯車に噛合した扇形歯車部、及び該扇形歯車部の回転中心から該扇形歯車部の扇形部分とは異なる向きに延びた腕部を一体的に備える駆動レバーと、
該駆動レバーの前記腕部に回転自在に支持された駆動歯車部及び該駆動歯車部の回転中心から離れた部位において該駆動歯車部に一体的に形成された表示真を備える表示部材と、
該表示部材の前記駆動歯車部の歯部が噛合する固定歯部を備えた固定歯車と
を有する時計の巻印残量表示機構。
【請求項２】
前記固定歯車が内歯歯車である請求項１に記載の時計の巻印残量表示機構。
【請求項３】
前記表示真から前記駆動歯車部の回転中心までの距離が、前記駆動歯車部のピッチ円の半径よりも小さい請求項１又は２に記載の時計の巻印残量表示機構。
【請求項４】
前記表示真により形成される軌跡が擬似直線状である請求項３に記載の巻印残量表示機構。
【請求項５】
前記表示真から前記駆動歯車部の回転中心までの距離が、前記駆動歯車部のピッチ円の半径よりも大きい請求項１又は２に記載の時計の巻印残量表示機構。
【請求項６】
前記表示真により形成される軌跡が円弧状であり、且つ該円弧の中心が時計の外周よりも外側に位置する請求項５に記載の時計の巻印残量表示機構。
【請求項７】
前記固定歯車が外歯歯車である請求項１に記載の時計の巻印残量表示機構。
【請求項８】
前記駆動レバーの回転中心が、前記固定歯車と前記出力歯車とを結ぶ線によって規定される領域の内側にある請求項１から７までのいずれか一つの項に記載の時計の巻印残量表示機構。
【請求項９】
前記駆動レバーの回転中心が、前記固定歯車と前記出力歯車とを結ぶ線によって規定される領域の外側にある請求項１から７までのいずれか一つの項に記載の時計の巻印残量表示機構。
【請求項１０】
請求項１から９までのいずれか一つの項に記載の巻印残量表示機構を備えた巻印残量表示機構付時計。
【発明の詳細な説明】
【技術分野】
【０００１】
本発明は、時計の巻印残量表示機構及び巻印残量表示機構付時計に係る。
【背景技術】
【０００２】
駆動源の少なくとも一部がぜんまいである時計において、巻印残量ないしパワーリザーブ量（ぜんまい巻上げ残量ないしぜんまい残量）の表示に趣向をこらす試みは提案されている（例えば、特許文献１〜３）。
【０００３】
特許文献１は、セグメントないしセクタ歯車部（扇形歯車部）を複数個一体的に備えた歯車（ここでは、セグメント歯車という）を用いて、ぜんまいの巻上げ残量の変化に応じて回転する出力歯車から離れたところで、巻印表示車を駆動してぜんまい残量を表示させるようにした巻印残量表示機構について開示している。
【０００４】
これによって、表示領域を選択し得るものの、表示自体は、従来の円弧状ないし扇形の表示に変わりはなく、また、該表示における円弧ないし扇の中心は時計の拡がりの範囲内にあることから、外観だけが見えるユーザに対して変化（趣向）を感じさせ難い。
【０００５】
特許文献２は、直線状表示が行われる点では表示に斬新さがあるものの、該直線状表示のために雄ねじと雌ねじとを組合わせたものであり、直線以外の形態の表示は実際上できない。
【０００６】
特許文献３は、１０時間単位の表示とそれよりも小さい時間間隔の表示との両方を行うものである点で従来の一般的表示と異なるものの、表示指針が夫々の中心の周りで回転される点では従来の一般的な表示と変らない。
【特許文献１】特開２００５−２１４６５５号公報
【特許文献２】特開２００６−２３４４３２号公報
【特許文献３】特開２００６−２３４４３３号公報
【発明の開示】
【発明が解決しようとする課題】
【０００７】
本発明は前記諸点に鑑みなされたものであり、その目的とするところは、基本構造を変えることなく表示の仕方を変え得る時計の巻印残量表示機構及び該機構付時計を提供することにある。
【課題を解決するための手段】
【０００８】
本発明の時計の巻印残量表示機構は、前記目的を達成すべく、ぜんまいの巻上げ残量の変化に応じて回転する出力歯車と、該出力歯車に噛合した扇形歯車部、及び該扇形歯車部の回転中心から該扇形歯車部の扇形部分とは異なる向きに延びた腕部を一体的に備える駆動レバーと、該駆動レバーの前記腕部に回転自在に支持された駆動歯車部及び該駆動歯車部の回転中心から離れた部位において該駆動歯車部に一体的に形成された表示真を備える表示部材と、該表示部材の前記駆動歯車部の歯部が噛合する固定歯部を備えた固定歯車とを有する。
【０００９】
本発明の時計の巻印残量表示機構では、上記の構造ないし構成を有することにより、ぜんまいの巻上げ残量の変化に応じた出力歯車の回転が、該回転に応じた駆動レバーの回動に変換され、また該駆動レバーの回動が駆動歯車部の回転に変換され、更に該駆動歯車部の回転が最終的には表示真の軌跡として表示される。
【００１０】
なお、表示真は、典型的には、文字板に形成されたスリット（軌跡の形状）を貫通して文字板の前面側に突出し、文字板上において該スリットに沿って形成された残量表示目盛に対して巻印残量（ぜんまい残量ないしパワーリザーブ量）を表示する。表示真の突出端には、典型的には、巻印残量表示板が取付けられる。
【００１１】
上記のような本発明の時計の巻印残量表示機構では、表示真の軌跡は、広義のサイクロイドないしトロコイドである。固定歯車が凸状すなわち外歯歯車である場合、表示真の軌跡は外トロコイド（エピトロコイド）になり、固定歯車が凹状すなわち内歯歯車（内歯車）である場合、表示真の軌跡は内トロコイド（ハイポトロコイド）になる。前記表示真から前記駆動歯車部の回転中心までの距離が、前記駆動歯車部のピッチ円の半径に一致する場合、外トロコイドおよび内トロコイドは、夫々、外サイクロイド（エピサイクロイド）および内サイクロイド（ハイポサイクロイド）になる。固定歯車が直線状のラック歯である場合、表示真の軌跡は狭義のサイクロイドになる。
【００１２】
従って、表示真から駆動歯車部の回転中心までの距離を、駆動歯車部のピッチ円の半径に対して、異なる所望の大きさに設定することにより、表示真の軌跡を、例えば、従来どおり時計の外向き凸の曲線状にし得るだけでなく、直線状にすることも、時計の内向きに凸の曲線状にすることも可能になり、また円弧状曲線の曲率半径を変えることも可能になる。ここで、「円弧状」とは、曲率半径が一定の厳密な円弧である代わりに、大まかに見て、円弧に近い曲線状（擬似円弧状）であってもよい。なお、表示真は、上記の軌跡のうちの一部分の軌跡を現せば足りることから、例えばハイポトロコイドが厳密に直線になる条件ではなく直線に近似できる部分を有する場合その部分を利用することにより、直線状表示を行うことも可能である。
【００１３】
なお、以上において、駆動レバーの前記腕部に関して、向きが「扇形歯車の扇形部分とは異なる」とは、扇形歯車の扇形部分からなる腕部とは別に駆動レバーの前記腕部が形成されていることをいう。また、駆動歯車部は、典型的には、完全な円形ではなくて円弧の一部が表示真取付用の腕部になっているけれども、所望ならば、完全な円形であってもよい。その場合、表示真取付用の腕部が駆動歯車部から例えばＳ字状に突設されて該駆動歯車部の厚さ方向にずれた位置に形成される。
【００１４】
本発明の時計の巻印残量表示機構では、典型的には、固定歯車が内歯歯車（内歯車）からなる。これにより、直線状表示（擬似直線状表示であってもよい）や時計の文字板側から見て内に凸の曲線状等の斬新な表示が可能になる。但し、本発明の時計の巻印残量表示機構において、所望ならば、固定歯車が外歯歯車（外歯車）であってもよい。
【００１５】
また、本発明の時計の巻印残量表示機構では、表示真から駆動歯車部の回転中心までの距離が、例えば、駆動歯車部のピッチ円の半径よりも小さい。
【００１６】
その場合、従来と比較して斬新な表示を与え得る。すなわち、例えば、表示真の軌跡（表示真による表示）が擬似直線状であったり、内に凸で比較的曲率半径の大きい円弧状（擬似円弧状）で該円弧の中心が時計ないしムーブメントよりも外側に位置するような表示が可能である。
【００１７】
また、本発明の時計の巻印残量表示機構では、表示真から駆動歯車部の回転中心までの距離が、例えば、駆動歯車部のピッチ円の半径よりも大きくてもよい。
【００１８】
その場合、従来と比較して斬新な表示になり易く、例えば、表示真により形成される軌跡が円弧状で該円弧の中心が時計ないしムーブメントよりも外側に位置するような表示が可能である。
【００１９】
別の観点で規定すれば、本発明の時計の巻印残量表示機構では、駆動歯車部のピッチ円の半径と固定歯車部のピッチ円の半径との比を変えることにより、軌跡が所望の形態に変更され得る。
【００２０】
例えば、本発明の時計の巻印残量表示機構において、駆動歯車部のピッチ円の半径が固定歯車部のピッチ円の半径の１／２であり、前記表示真から前記駆動歯車部の回転中心までの距離が、前記駆動歯車部のピッチ円の半径に等しい。その場合、表示真の軌跡は、文字通り直線になる。
【００２１】
また、本発明の時計の巻印残量表示機構では、典型的には、前記駆動レバーの回転中心が、前記固定歯車と前記出力歯車とを結ぶ線によって規定される領域の内側にある。その場合、出力歯車の位置とは直径方向のほぼ反対側に表示真の軌跡が表示される。
【００２２】
但し、その代わりに、本発明の時計の巻印残量表示機構において、前記固定歯車と前記出力歯車とを結ぶ線によって規定される領域の外側にあってもよい。その場合、出力歯車の位置に対して横向きに（例えばほぼ９０度異なるような位置に）、表示真の軌跡が表示される。
【００２３】
以上において、駆動レバー等の腕部の長さを最大限長くするためには、駆動レバーはその回転中心が典型的には時計ないしムーブメントの中心又はその近傍に位置するように配置される。但し、巻印表示機構に関わる部品を時計ないしムーブメントの一部の領域に局在させたり表示の向きに変化を与えるために、駆動レバーの回転中心を時計ないしムーブメントの中心から離れたところに設けてもよい。同様に、固定歯車は、該固定歯車が内歯歯車（内歯車）からなる場合、典型的には、時計ないしムーブメントの外周近傍に配置されるけれども、所望ならば、時計ないしムーブメントの中央部に配置されてもよい。
【００２４】
また、以上において、駆動レバーおよび固定歯車は、典型的には、地板その他の静置支持体によって支持される。但し、所望ならば、駆動レバー及び固定歯車のうちの少なくとも一方を指示するために、専用の静置支持体を配設してもよい。ここで、静置支持体とは、地板のごとく時計のケースに対して静置されて時計部品を支えるものをいう。
【００２５】
本発明の巻印残量表示機構付時計は、前記目的を達成すべく、上記のような巻印残量表示機構を備える。
【発明を実施するための最良の形態】
【００２６】
本発明の好ましい実施の形態のいくつかを添付図面に示した好ましい実施例に基づいて説明する。
【実施例１】
【００２７】
図１〜図３には、本発明の好ましい一実施例の巻印残量表示機構１を備えた機械式時計２の本体部ないしムーブメント３が示されている。
【００２８】
時計２のムーブメント３は、図２に示したように、香箱１０を備え、巻印残量表示機構１は、図１からわかるように、遊星車機構ないし遊星ユニット１００及び巻印残量表示機構本体部５を有する。この例では、ムーブメント３は、静置支持体として、地板２１、香箱受２２、第二地板２３、第二輪列受２４や二番受２５（図３）等を含む。
【００２９】
香箱１０はぜんまい１１を内部に備え、ぜんまい１１は、角穴ねじ１２で香箱真１３に固定された角穴車１４の回転に応じて巻上げられる。ぜんまい１１の巻上げの際には、香箱真１３に取付けられた香箱真かな１５が回転され、ぜんまい１１の巻き戻しの際には香箱かな１６が香箱歯車１７と共に回転される。
【００３０】
遊星ユニット１００は、香箱かな１６に噛合した第一太陽歯車１１１及び第一太陽かな１１２を備えた第一太陽車１１０、第二太陽歯車１２１及び第二太陽かな１２２を備え第一太陽車１１０と同心の第二太陽車１２０、遊星中間歯車１３１及びスペーサ１３２，１３２（図１）を備え第一及び第二太陽車１１０，１２０と同心の遊星中間車１３０、第一太陽かな１１２に噛合され遊星中間車１３０に回転自在に支持された第一遊星歯車１４１及び第二太陽かな１２２に噛合され第一遊星歯車１４１と同軸でかつこれより小径の第二遊星歯車１４２からなる遊星車１４０を有する。遊星中間歯車１３１は、遊星伝え車１５０を介して香箱真かな１５に噛合されている。遊星伝え車１５０は、遊星中間歯車１３１に噛合された遊星伝え歯車１５１及びこれと一体の遊星伝えかな１５２からなる。
【００３１】
従って、ぜんまい１１の巻上げに伴う香箱真かな１５のＡ方向回転に応じて、遊星ユニット１００の第二太陽歯車１２１がＢ２方向に回転され、ぜんまい１１の巻き戻しに伴う香箱かな１６のＡ方向回転に応じて、遊星ユニット１００の第二太陽歯車１２１がＢ１方向に回転される。ここで、遊星ユニット１００の第二太陽歯車１２１が巻印残量表示機構１の出力歯車として働く。巻印残量表示機構１の出力歯車は、ぜんまい１１の巻上げ及び巻戻しに応じて逆向きに回転される限り、遊星ユニット１００の第二太陽車１２１の代わりに他のどのようなものでもよい。
【００３２】
なお、機械式時計２のムーブメント３は、図３に示したように、筒車３１、筒かな３７、二番車３２及び四番車３３を同軸に備え、該車３１，３２及び３７には、夫々、時針３４、分針３５及び秒針３６が取付けられている。従って、ぜんまい１１の巻き戻しに応じて、筒かな３７を含む中間の輪列（図示せず）を介して筒車３１、二番車３２及び四番車３３が回転され、文字板７の前面において回転する時針３４、分針３５及び秒針３６により時刻が表示される。
【００３３】
巻印残量表示機構１の本体部５は、主として図１からわかるように、回動軸４１のまわりでＤ１，Ｄ２方向に回動可能に第二地板２３（図３）に支持された駆動レバー４０と、回動軸５１のまわりでＥ１，Ｅ２方向に回転自在に駆動レバー４０に支持された表示部材５０と、第二地板２３（図３）に固定された固定歯車７０とを備える。以下では、回動軸４１の回動中心軸線をＤで表し、回動軸５１の回転中心軸線をＥで表す。
【００３４】
駆動レバー４０は、回動軸４１の一方の側に短い腕部４２を備え、該腕部４２に対してほぼ直径方向反対側（より詳しくは腕部４２に対して１５０度〜１７０度程度傾いた向きに長い腕部４３を備える。この例では、駆動レバー４０は、第二地板２３の環状凸部により形成された回動軸４１に回動軸受容穴４７で嵌合されることにより、第二地板２３に対して、中心軸線Ｄのまわりで回動自在になっている。これにより、機械式時計２の中心を駆動レバー４０の回動中心軸線Ｄとし得る。但し、時計２の中心からずれたところに駆動レバー４０を配置する場合には、所望ならば、駆動レバー４０の回動軸４１を腕４２，４３等と一体的な軸部とし、該軸部を回動自在に支える穴部を静置支持体に形成しておいてもよい。また、この例では、第二地板２３が、駆動レバー４０を回動可能に受容する凹部２６を有する。短い腕部４２の端縁には、出力歯車としての第二太陽歯車１２１に噛合した扇形歯車部（すなわちセクタ歯車部ないしセグメント歯車部）４４が形成されている。長い腕部４３の先端部近傍では、回動軸５１を介して表示部材５０を回転自在に支持する。なお、第二地板２３に植設された度決めピン４５が、駆動レバー４０のＤ２方向の回動範囲を規制して、駆動レバー４０の初期位置を規定する。
【００３５】
固定歯車７０は、この例では、ピッチ円の半径がＲ１の円弧状の内歯歯車（内歯車）７１からなる。固定歯車７１のピッチ円の中心は、回動中心軸線Ｄに一致する。
【００３６】
表示部材５０は、回転中心軸線Ｅを中心とする半径Ｒ２の円弧状ピッチ円を備えた駆動歯車部５２と、該駆動歯車部５２の回動軸５１のところから駆動歯車部５２とは直径方向反対向きに延びた表示腕部５３の先端部５４に取付けられた表示真５５とを有する。この例では、第二地板２３は、駆動歯車部５２の回動軸５１の突出端部を受容し該突出端部の円弧状移動を許容する円弧状溝部２７を備える。
【００３７】
表示真５５の中心Ｆと回転中心軸線Ｅとの距離はＲ３である。より詳しくは、図３からわかるように、この例では、表示部材５０は、腕部５３に表示真取付穴５７，５７Ａを有する。表示真取付穴５７Ａは回転中心軸線Ｅの近傍に位置し、表示真取付穴５７は穴５７Ａよりも回転中心軸線Ｅから離れたところにある。図１〜図３の例では、表示真５５は、表示真取付穴５７に嵌着されている。文字板７には、表示真５５の中心Ｆの軌跡に沿ったスリット５６が形成され、表示真５５は、文字板７のスリット５６を貫通して時計２の厚さ方向に延びている。表示真５５のうち、文字板７の前面側に延びた端部には残量表示板６１が取付けられている。
【００３８】
中心軸線Ｄ，Ｅ，Ｆは、いずれも、時計２の主面ないし文字板７の延在面に対して垂直である。この例では、Ｒ３＞Ｒ２である。
【００３９】
以上の如く構成された巻印残量表示機構１の本体部５では、表示真５５の中心すなわち動点Ｆの軌跡は、内トロコイド（ハイポトロコイド）になる。ここで、定円の半径がＲ１で、動円の半径がＲ２で、動点Ｆからその回転中心Ｅまでの距離がＲ３である。
【００４０】
以上の如く構成された巻印残量表示機構１は、ぜんまい１１をいっぱいに巻上げたフル巻上げ状態Ｓ１において、図１に示す初期状態をとる。この初期状態ないしフル巻上げ状態では、駆動レバー４０は、その短い腕部４２の側縁４６が度当たりピン４５に当接してそれ以上のＤ２方向回動が禁止された位置Ｐ１を採る。このフル巻上げ状態Ｓ１においては、図１およびその一部を拡大して示した図４からわかるように、表示部材５０は、その駆動歯車部５２が初期位置Ｑ１として固定歯車７０のＤ２方向端部７３と噛合するＤ２方向極端位置を採り、表示部材５０の腕部５３がＥ２方向に倒れて表示真５５の中心Ｆが初期位置Ｕ１としてＧ２方向極端位置を採る。
【００４１】
ぜんまい１１の巻き戻しに応じた遊星ユニット１００の動作に従って第二太陽歯車１２１がＢ１方向に回転されると、該第二太陽車１２１のＢ１方向回転に応じて駆動レバー４０が図５に示したようにＤ１方向に回動されて位置Ｐ２に達すると、該駆動レバー４０のＤ１方向回動に応じて表示部材５０の駆動歯車部５２が図５に示したように固定歯車７０に沿ってＤ１方向に転動して位置Ｑ２に達する。表示部材５０は、そのＤ１方向転動に際して、図５に示したように、中心軸線ＥのまわりでＥ１方向に回動される。その結果、表示真５５の中心Ｆは、図５に示したように、ハイポトロコイド曲線を形成する軌跡Ｇに沿ってＧ１方向に揺動して位置Ｕ２に達する。
【００４２】
ぜんまい１１の更なる巻戻しに応じて、図６に示すように、駆動レバー４０が位置Ｐ３に達すると、表示部材５０の駆動歯車部５２が位置Ｑ３に達し、表示真５５の中心Ｆがハイポトロコイド曲線を形成する軌跡Ｇに沿ってＧ１方向に更に揺動して位置Ｕ３に達する。
【００４３】
更に、ぜんまい１１の巻戻しに応じて、図７に示すように、駆動レバー４０が位置Ｐ４に達すると、表示部材５０の駆動歯車部５２が位置Ｑ４に達し、表示真５５の中心Ｆがハイポトロコイド曲線を形成する軌跡Ｇに沿ってＧ１方向に揺動して位置Ｕ４に達する。
【００４４】
ぜんまい１１の巻戻しが実際上完全に行われてほどけてしまと、図８に示すように、駆動レバー４０が最終位置Ｐ５に達し、表示部材５０の駆動歯車部５２が最終位置Ｑ５に達し、表示真５５の中心Ｆがハイポトロコイド曲線を形成する軌跡Ｇに沿ってＧ１方向に揺動して最終位置Ｕ５に達する。
【００４５】
従って、図８からわかるように、ぜんまい１１の巻き戻しに応じて、表示真５５の中心Ｆが、ハイポトロコイド曲線Ｇに沿って、位置Ｕ１から、位置Ｕ２，Ｕ３，Ｕ４を通って最終位置Ｕ５に移動する。
【００４６】
ぜんまい１１の巻上げの際には、該ぜんまい１１の巻上げに応じて、表示真５５の中心Ｆが、ハイポトロコイド曲線Ｇに沿って、位置Ｕ５から、位置Ｕ４，Ｕ３，Ｕ２を通って初期位置Ｕ１に戻る。
【００４７】
従って、図９に示したように、残量表示板６１は、文字板７に形成されたハイポトロコイド曲線Ｇの形態のスリット５６に沿って、Ｇ１，Ｇ２方向に移動する。図９では、フル巻上げ状態Ｓ１に対応するフル巻上げ位置Ｕ１が５０時間、完全にほどけた残量ゼロの状態Ｓ５に対応する残量ゼロ位置Ｕ５が０として、文字板７において、スリット５６に沿ってぜんまい残量目盛６２が付されている。符号８はぜんまい１１の巻上げに利用されるリュウズを示す。なお、ぜんまい１１は自動巻機構（図示せず）をも備えていてもよく、また、自動巻機構のみによって巻き上げられるようになっていてもよい。
【００４８】
図９の機械式時計２における残量表示板６１の移動スリット５６及び残量目盛６２や、図８の軌跡Ｇからわかるように、この機械式時計２では、スリット５６は、中心が時計２のケース９の外ないしムーブメント３の外にあるような円弧状（より詳しくは、擬似円弧状ないし実質的に円弧状）の形状を有する。
【００４９】
次に、円弧状表示の代わりに、直線状表示を行い得るようにした本発明の変形例の巻印残量表示機構１Ａ及び該機構１Ａを備えた機械式時計２Ａについて、図１０〜図１２及び図４〜図８に基づいて、説明する。
【００５０】
この変形例の残量表示機構１Ａは、表示真５５Ａを図１０からわかるように、表示部材５０の回転中心Ｅの近傍に有する。すなわち、この例では、表示真５５Ａは、表示部材５０の表示真取付穴５７の代わりに回転中心Ｅの近傍に位置する表示真取付穴５７Ａに嵌着されている。表示真５５Ａの中心ＦＡと表示部材５０の回転中心Ｅとの距離（離心長）Ｒ３Ａは駆動歯車部５２のピッチ円の半径Ｒ２と比較して小さい（Ｒ３Ａ／Ｒ２＜＜１）。
【００５１】
なお、より詳しくは、例えば、駆動歯車部５２が図１０や図４に示したように初期位置Ｑ１にあるときに固定歯車７０と噛合する噛合い位置Ｊ１と図８に示したように終点位置Ｑ５にあるときに固定歯車７０と噛合する噛合い位置Ｊ５とを結ぶ仮想線Ｖと中間位置Ｑ３にあるときに固定歯車７０と噛合する噛合い位置Ｊ３との距離Ｈ（より厳密には、中心軸線Ｄから中心軸線Ｅまでの距離（Ｒ１−Ｒ２）と固定歯車７０のピッチ円の半径Ｒ１との比（（Ｒ１−Ｒ２）／Ｒ１）を更に乗じたもの）が、「表示真５５Ａの離心長Ｒ３Ａ」と「駆動歯車部５２が図１０や図４に示したように初期位置Ｑ１にあるときに表示真５５Ａの中心ＦＡがとる位置Ｕ１Ａと回転中心Ｅとの距離（但し上記仮想線Ｖに直角な方向の距離）Ｋ」との差と同程度になるように、離心長Ｒ３Ａが選択される。式で表すと、
Ｈ＊（Ｒ１−Ｒ２）／Ｒ１≒Ｒ３Ａ−Ｋ
但し、ここでは、駆動歯車部５２は、初期位置Ｑ１にある場合と終点位置Ｑ５にある場合とで、上記仮想線Ｖに直角で中心Ｄを通る仮想線に関して対称な状態を採る場合を想定している。
言い換えれば、表示部材５０の回転中心Ｅの軌跡を描き（図示なし）、Ｕ１とＵ５を結んだ線（Ｇ）との最大の距離（図６におけるＦ（ＦＡ）とＥの距離、もしくは中立位置でのＧとＥとの距離といいかえても可）がＲ３Ａと等しくなるようＲ３Ａを選ぶことにより、擬似直線の軌跡を得る。
【００５２】
図１０、図１１及び図１２において、図１、図３及び図９と同様な部材や要素には同一の符号が付され、変更のある部材や要素には対応する部材や要素の参照符号の末尾に添字Ａが付されている。
【００５３】
以上のように表示部材５０Ａの穴５７Ａに表示真５５Ａが取付けられ、該表示真５５Ａの先端に残量表示板６１Ａが取付けられてなる残量表示機構１Ａでは、ぜんまい１１の巻き戻しに伴う駆動レバー４０のＤ１方向回動に応じた駆動歯車５２のＥ１方向回動に応じて、表示真５５Ａの中心ＦＡが、図４から図８に示したように、初期位置Ｕ１Ａ（図４）から、軌跡ＧＡに沿って、位置Ｕ２Ａ（図５）、位置Ｕ３Ａ（図６）及び位置Ｕ４Ａ（図７）を通って最終位置Ｕ５Ａ（図８）までＧＡ１方向に擬似直線的に（実際上直線的に）変位する。ぜんまい１１の巻上げの際には、軌跡ＧＡに沿って、逆方向ＧＡ２に擬似直線的に、位置Ｕ５Ａ，Ｕ４Ａ，Ｕ３Ａ，Ｕ２Ａ，Ｕ１Ａと変位する。
【００５４】
このように、表示部材５０の腕部５３に対して表示真５５又は５５Ａを取付ける位置を穴５７から穴５７Ａに変更するだけで、表示真５５が描く軌跡を擬似円弧状から擬似直線状に変更し得る。
【００５５】
従って、この巻印残量表示機構１Ａを備えた機械式時計２Ａでは、図１２に示したように、軌跡ＧＡに対応する直線状スリット５６Ａを備え、表示真５５Ａ及び残量表示板６１Ａが、ぜんまい１１の巻き戻し及び巻上げに応じて、該直線状スリット５６Ａに沿ってＧＡ１，ＧＡ２方向に実際上直線的に変位される。
【００５６】
なお、図１０〜図１２に示した実施例の機械式時計２Ａのムーブメント３Ａの巻印表示機構１Ａでは、固定歯車７０のピッチ円の半径Ｒ１と比較して十分に小さい範囲内で表示真５５Ａ及び残量表示板６１Ａが変位されることからその変位が直線で近似され得るけれども、固定歯車７０のピッチ円の半径Ｒ１と比較して相当程度の範囲にわたって表示真５５Ａ及び残量表示板６１Ａが直線的に変位されるようにするためには、ハイポトロコイドないしハイポサイクロイド曲線に従い、駆動歯車部５２のピッチ円の半径Ｒ２の２倍が固定歯車７０のピッチ円の半径Ｒ１に一致するようにしておくと共に、表示真５５Ａの中心ＦＡが中心軸線Ｅから距離Ｒ２だけ離れた位置にくるように、表示真５５Ａの取付穴５７Ａを表示部材５０Ａに形成しておけばよい。その場合、スリット５６Ａが図１２に示したように文字板７の中央部分ではなく文字板７の外周近傍に位置するようにするためには、駆動レバー４０の回動中心軸線Ｄを時計ケース９の中心からズレた位置（図１２の例でいえば、中心から６時の側にズレた位置）にしておけばよい。
【００５７】
なお、遊星ユニット１００の配置がムーブメントを構成する他の部品の配置により規制されて変更し難い場合であっても、駆動レバーの構造を変更することにより、残量表示板による巻印残量の表示位置を変更し得る。
【００５８】
図１〜図９の例及び図１０〜図１２の例は、いずれも、ハイポトロコイドの例である。従って、一般的には、例えば、図１で表示真５５の向きを考慮して、軌跡Ｇ（Ｘ，Ｙ）は、
Ｘ＝（Ｒ１−Ｒ２）ｃｏｓθ−Ｒ３ｃｏｓ（（Ｒ１−Ｒ２）θ／Ｒ２）
Ｙ＝（Ｒ１−Ｒ２）ｓｉｎθ＋Ｒ３ｓｉｎ（（Ｒ１−Ｒ２）θ／Ｒ２）
として表される。但し、Ｘ，Ｙは図１に示したように駆動レバー４０の回転中心を原点とする直交座標で、図６の位置Ｐ３において腕部４３の伸びている向き（図１において固定レバー４０の中心Ｄと固定歯車７０の中点（図１０の位置Ｊ３）とを結ぶ向きが＋Ｘ方向に対応する。θは反時計回りの駆動レバー４０の腕部４３の角度で、図６の位置Ｐ３にあるときθ＝０度である。また、後述のように固定歯車が外歯歯車（外歯車）からなる場合、Ｒ１→−Ｒ１並びにＸ→−Ｘ及びＹ→−Ｙと読替えればよい。
【００５９】
図１３及び図１４には、遊星ユニット１００が１２時の位置にある場合において、９時の位置において、巻印残量を円弧状表示するようにした例を示す。すなわち、図１３及び図１４に示した巻印残量表示機構１Ｂを備えた機械式時計２Ｂでは、円弧状表示が６時の位置の代わりに９時の位置で行われる点で、図１〜図９に示した巻印残量表示機構１を備えた機械式時計２とは異なり、その他の点では、図１〜図９に示した巻印残量表示機構１を備えた機械式時計２と同様に構成される。
【００６０】
図１３及び図１４において、図１〜図９に示した部材ないし要素と同じ部材ないし要素には同一の符号が付され、異なる点があるけれども対応する部材ないし要素には、参照符号の最後に添字Ｂが付されている。
【００６１】
機械式時計２Ｂのムーブメント３Ｂの巻印残量表示機構１Ｂでは、駆動レバー４０Ｂが、短い腕部４２と、該腕部４２に対して約７５度程度の角度をなす長い腕部４３Ｂとを有する。換言すれば、駆動レバー４０Ｂでは、腕部４３Ｂが駆動レバー４０の腕部４３に対して時計回りに９０度ズレた角度位置にある点で、駆動レバー４０と異なり、その他の点では、駆動レバー４０と実際上同一に構成されている。すなわち、この例では、駆動レバー４０の回転中心Ｄが、固定歯車７０と出力歯車１２１とを結ぶ線によって規定される領域の内側にある図１から図１２の例とは異なり、駆動レバー４０Ｂの回転中心が、固定歯車７０Ｂと出力歯車１２１とを結ぶ線によって規定される領域の外側にある。なお、この例では、駆動レバー４０Ｂの腕部４３Ｂの角度は、９０度程度折れ曲がる代わりに鋭角に折れ曲がっていても、鈍角に折れ曲っていてもよく、鋭角や鈍角の向きが９時の側の代わりに３時の側であってもよい。
【００６２】
駆動レバー４０Ｂの長い腕部４３Ｂに対する表示部材５０Ｂの相対位置は、駆動レバー４０の長い腕部４３に対する表示部材５０の相対位置と同一である。従って、表示部材５０Ｂは、図１〜図９の表示部材５０に対して時計回りに９０度ズレた角度位置にある点で、表示部材５０と異なり、その他の点では、表示部材５０と実際上同一に構成されている。同様に、駆動レバー４０Ｂの長い腕部４３Ｂに対する固定歯車７０Ｂの相対位置は、駆動レバー４０の長い腕部４３に対する固定歯車７０の相対位置と同一である。従って、固定歯車７０Ｂは、図１〜図９の固定歯車７０に対して時計回りに９０度ズレた角度位置にある点で、固定歯車７０と異なり、その他の点では、固定歯車７０と実際上同一に構成されている。
【００６３】
また、表示真５５Ｂやスリット５６Ｂや残量表示板６１Ｂも、図１〜図９の表示真５５やスリット５６や残量表示板６１と比較して、時計回りに９０度ズレた角度位置にある点で異なり、その他の点では実際上同一に構成されている。なお、残量表示目盛６２Ｂも残量表示目盛６２に対して時計回りに９０度ズレた角度位置にある点は他の要素と同一である。但し、残量表示目盛６２Ｂは、６時の位置が下になり１２時の位置が上になる通常の時計表示を視認し易い向き、目盛の数値が付されている。
【００６４】
この機械式時計２Ｂでは、９時の位置において軌跡ＧＢに沿って延びた内向き円弧状のスリット５６Ｂに沿って残量表示板６１ＢがＧＢ１，ＧＢ２方向に変位することにより、巻印残量が表示される。
【００６５】
図１５及び図１６には、遊星ユニット１００が１２時の位置にある場合において、９時の位置において、巻印残量を直線状表示するようにした例を示す。すなわち、図１５及び図１６に示した巻印残量表示機構１Ｃを備えた機械式時計２Ｃでは、円弧状表示が６時の位置の代わりに９時の位置で行われる点で、図１０〜図１２に示した巻印残量表示機構１Ａを備えた機械式時計２Ａとは異なり、その他の点では、図１０〜図１２に示した巻印残量表示機構１Ａを備えた機械式時計２Ａと同様に構成される。また、図１５及び図１６に示した巻印残量表示機構１Ｃを備えた機械式時計２Ｃでは、直線状状表示が行われる点で図１３〜図１４に示した巻印残量表示機構１Ｂを備えた機械式時計２Ｂとは異なり、その他の点では、図１３〜図１４に示した巻印残量表示機構１Ａを備えた機械式時計２Ａと同様に構成される。
【００６６】
図１５及び図１６において、図１〜図９或いは図１０〜図１２或いは図１３〜図１４に示した部材ないし要素と同じ部材ないし要素には同一の符号が付され、異なる点があるけれども対応する部材ないし要素には、参照符号の最後に添字Ｃが付されている。
【００６７】
機械式時計２Ｃのムーブメント３Ｃの巻印残量表示機構１Ｃでは、機械式時計２Ｂの巻印残量表示機構１Ｂと同様に、駆動レバー４０Ｂが、短い腕部４２と、該腕部４２に対して約７５度程度の角度をなす長い腕部４３Ｂとを有する。
【００６８】
駆動レバー４０Ｂの長い腕部４３Ｂに対する表示部材５０Ｃの相対位置は、巻印表示機構１Ａの駆動レバー４０の長い腕部４３に対する表示部材５０Ａの相対位置と同一である。従って、表示部材５０Ｃは、図１０〜図１２の表示部材５０Ａに対して時計回りに９０度ズレた角度位置にある点で、表示部材５０Ａと異なり、その他の点では、表示部材５０Ａと実際上同一に構成されている。同様に、駆動レバー４０Ｂの長い腕部４３Ｂに対する固定歯車７０Ｂの相対位置は、駆動レバー４０の長い腕部４３に対する固定歯車７０の相対位置と同一である。従って、固定歯車７０Ｂは、図１０〜図１２の固定歯車７０に対して時計回りに９０度ズレた角度位置にある点で、固定歯車７０と異なり、その他の点では、固定歯車７０と実際上同一に構成されている。
【００６９】
また、表示真５５Ｃやスリット５６Ｃや残量表示板６１Ｃも、図１０〜図１２の表示真５５Ａやスリット５６Ａや残量表示板６１Ａと比較して、時計回りに９０度ズレた角度位置にある点で異なり、その他の点では実際上同一に構成されている。なお、残量表示目盛６２Ｃも残量表示目盛６２Ａに対して時計回りに９０度ズレた角度位置にある点は他の要素と同一である。但し、残量表示目盛６２Ｃは、６時の位置が下になり１２時の位置が上になる通常の時計表示を視認し易い向きに目盛の数値が付されている。
【００７０】
この機械式時計２Ｃでは、９時の位置において軌跡ＧＣに沿って延びた直線状のスリット５６Ｃに沿って残量表示板６１ＣがＧＣ１，ＧＣ２方向に変位することにより、巻印残量が表示される。
【００７１】
表示真の軌跡の種類は限定的になるけれども、所望ならば、固定歯車が内歯歯車（内歯車）の代わりに外歯歯車（外歯車）であってもよい。
【００７２】
図１７〜図２０には、平歯車の一部をなす円弧状の外歯歯車の形態の固定歯車７０Ｄを備えた巻印残量表示機構１Ｄを有する機械式時計２Ｄが示されている。
【００７３】
図１７から図２０に示した巻印残量表示機構１Ｄを有する機械式時計２Ｄにおいて、図１〜図９に示した部材ないし要素と同じ部材ないし要素には同一の符号が付され、異なる点があるけれども対応する部材ないし要素には、参照符号の最後に添字Ｄが付されている。
【００７４】
機械式時計２Ｄのムーブメント３Ｄの巻印残量表示機構１Ｄでは、図１９からわかるように、円弧状外歯車７１Ｄの形態の固定歯車７０Ｄが第二地板２３に固定され、駆動レバー４０Ｄの長い腕部４３Ｄが固定歯車７０Ｄを越えて延びている。腕部４３Ｄの先端部に中心軸線ＥＤのまわりでＥＤ１，ＥＤ２方向に回動自在に装着された表示部材５０Ｄは、駆動歯車部５２Ｄで固定歯車７０Ｄの円弧状外歯車部７１Ｄに噛合している。
【００７５】
図１７に示したように、表示部材５０Ｄは、その駆動歯車部５２Ｄが固定歯車７０Ｄの円弧状外歯車部７１Ｄに噛合していることから、表示部材５０Ｄの表示真５５Ｄが中心軸線ＥＤよりも時計２Ｄの外周側に位置し、ＥＤ１，ＥＤ２方向に回動する点を除き、機械式時計２の巻印残量表示機構１の表示部材５０と実質的に同様に構成されている。
【００７６】
この機械式時計２Ｄの巻印残量表示機構１Ｄでは、図１８からわかるように、ぜんまい１１の巻き戻しに伴う駆動レバー４０ＤのＤ１方向回動に応じて、表示部材５０Ｄの駆動歯車５２ＤがＥＤ１方向に回転しながら外歯歯車７１Ｄの形態の固定歯車７０に沿って転動する。従って、初期位置Ｕ１Ｄにあった表示真５５Ｄが、外に凸の円弧状軌跡ＧＤに沿って、ＧＤ１方向に変位し、中間位置Ｕ３Ｄを通って最終位置Ｕ５Ｄに達する。なお、ぜんまい１１の巻上げの際には、駆動レバー４０ＤのＤ２方向回動に応じて、表示真５５Ｄが、位置Ｕ５Ｄから軌跡ＧＤに沿って中間位置Ｕ３Ｄを通って初期位置Ｕ１Ｄに戻る。
【００７７】
従って、機械式時計２Ｄでは、図２０に示したように、外に凸の円弧状軌跡ＧＤに一致するように形成された外に凸の円弧状スリット５６Ｄに沿って、残量表示板６１ＤがＧＤ１，ＧＤ２方向に変位して、文字板７に示された巻印残量表示目盛６２Ｄに基づく巻印残量を表示する。
【図面の簡単な説明】
【００７８】
【図１】本発明の好ましい一実施例の巻印残量表示機構を備えた機械式時計の平面説明図。
【図２】図１の機械式時計のうち香箱及び遊星ユニットと巻印残量表示機構の駆動レバーとのつながりを示した断面説明図。
【図３】図１の機械式時計の巻印残量表示機構の部分を主として示した断面説明図。
【図４】図１の巻印残量表示機構の動作状態を示したもので、初期状態にある巻印残量表示機構の一部拡大平面説明図。
【図５】ぜんまいの一部が巻き戻された状態にある図１の巻印残量表示機構についての図４と同様な一部拡大平面説明図。
【図６】ぜんまいの半分程度が巻き戻された状態にある図１の巻印残量表示機構についての図４と同様な一部拡大平面説明図。
【図７】ぜんまいの大半の部分が巻き戻された状態にある図１の巻印残量表示機構についての図４と同様な一部拡大平面説明図。
【図８】ぜんまいが完全に巻き戻された状態にある図１の巻印残量表示機構についての図４と同様な一部拡大平面説明図。
【図９】図１の機械式時計を文字板側から見た平面説明図。
【図１０】本発明の別の好ましい一実施例の巻印残量表示機構を備えた機械式時計についての図１と同様な平面説明図。
【図１１】図１０の機械式時計についての図３と同様な断面説明図。
【図１２】図１０の機械式時計についての図９と同様な平面説明図。
【図１３】本発明の更に別の好ましい一実施例の巻印残量表示機構を備えた機械式時計についての図１と同様な平面説明図。
【図１４】図１３の機械式時計についての図９と同様な平面説明図。
【図１５】本発明の更に別の好ましい一実施例の巻印残量表示機構を備えた機械式時計についての図１と同様な平面説明図。
【図１６】図１５の機械式時計についての図９と同様な平面説明図。
【図１７】本発明の更に別の好ましい一実施例の巻印残量表示機構を備えた機械式時計についての図１と同様な平面説明図。
【図１８】図１７の巻印残量表示機構の動作状態についての図４〜図８と同様な一部拡大平面説明図。
【図１９】図１７の機械式時計についての図３と同様な断面説明図。
【図２０】図１７の機械式時計についての図９と同様な平面説明図。
【符号の説明】
【００７９】
１，１Ａ，１Ｂ，１Ｃ，１Ｄ  巻印残量表示機構
２，２Ａ，２Ｂ，２Ｃ，２Ｄ  機械式時計
３，３Ａ，３Ｂ，３Ｃ，３Ｄ  ムーブメント
５  巻印残量表示機構本体部
７  文字板
８  リュウズ
９  時計ケース
１０  香箱
１１  ぜんまい
１５  香箱真かな
１６  香箱かな
２１  地板
２２  香箱受
２３  第二地板
２４  第二輪列受
２５  二番受
３１  筒車
３２  二番車
３３  四番車
３４  時針
３５  分針
３６  秒針
４０，４０Ｂ，４０Ｄ  駆動レバー
４１  回動軸
４２  腕部
４３，４３Ｂ  腕部
４４  扇形歯車部
４５  度決めピン
５０，５０Ａ，５０Ｂ，５０Ｃ，５０Ｄ  表示部材
５１，５１Ｄ  回動軸
５２，５２Ｄ  駆動歯車部
５３，５３Ｄ  表示腕部
５５，５５Ａ，５５Ｂ，５５Ｃ，５５Ｄ  表示真
５６，５６Ａ，５６Ｂ，５６Ｃ，５６Ｄ  スリット
５７，５７Ａ，５７Ｂ  取付穴
６１，６１Ａ，６１Ｂ，６１Ｃ，６１Ｄ  残量表示板
６２，６２Ａ，６２Ｂ，６２Ｃ，６２Ｄ  残量表示目盛
７０，７０Ｂ，７０Ｃ，７０Ｄ  固定歯車
７１  内歯歯車部
７１Ｄ  外歯歯車部
１００  遊星ユニット（遊星車機構）
１１０  第一太陽車
１１１  第一太陽歯車
１１２  第一太陽かな
１２０  第二太陽車
１２１  第二太陽歯車
１２２  第二太陽かな
１３０  遊星中間車
１３１  遊星中間歯車
１３２  スペーサ
１４０  遊星車
１４１  第一遊星歯車
１４２  第二遊星歯車
１５０  遊星伝え車
１５１  遊星伝え歯車
１５２  遊星伝えかな
Ａ  回転方向
Ｂ１，Ｂ２  回転方向
Ｄ，Ｅ，ＥＤ，Ｆ，ＦＡ，ＦＤ  中心
Ｄ１，Ｄ２  回動方向
Ｅ１，Ｅ２，ＥＤ１，ＥＤ２  回動方向
Ｇ，ＧＡ，ＧＢ，ＧＣ，ＧＤ  軌跡
Ｇ１，Ｇ２，ＧＡ１，ＧＡ２，ＧＢ１，ＧＢ２，ＧＣ１，ＧＣ２，ＧＤ１，ＧＤ２  変位方向
Ｈ，Ｋ  距離
Ｊ１，Ｊ３，Ｊ５  位置
Ｐ１，Ｐ２，Ｐ３，Ｐ４，Ｐ５  位置
Ｑ１，Ｑ２，Ｑ３，Ｑ４，Ｑ５  位置
Ｒ１，Ｒ２  半径
Ｒ３，Ｒ３Ａ  距離
Ｓ１，Ｓ５  状態
Ｕ１，Ｕ１Ａ，Ｕ２，Ｕ２Ａ，Ｕ３，Ｕ３Ａ，Ｕ４，Ｕ４Ａ，Ｕ５，Ｕ５Ａ，Ｕ１Ｄ，Ｕ３Ｄ，Ｕ５Ｄ  位置
【図１】
2008196884.tif 000003
【図２】
2008196884.tif 000004
【図３】
2008196884.tif 000005
【図４】
2008196884.tif 000006
【図５】
2008196884.tif 000007
【図６】
2008196884.tif 000008
【図７】
2008196884.tif 000009
【図８】
2008196884.tif 000010
【図９】
2008196884.tif 000011
【図１０】
2008196884.tif 000012
【図１１】
2008196884.tif 000013
【図１２】
2008196884.tif 000014
【図１３】
2008196884.tif 000015
【図１４】
2008196884.tif 000016
【図１５】
2008196884.tif 000017
【図１６】
2008196884.tif 000018
【図１７】
2008196884.tif 000019
【図１８】
2008196884.tif 000020
【図１９】
2008196884.tif 000021
【図２０】
2008196884.tif 000022